(57)【要約】【課題】画像表示装置自体を小型化すると共に、画像表示装置の操作性を向上させる。【解決手段】画像を表示する表示画面１０３を有する表示部１０２を備えた画像表示装置１０であって、前記表示部１０２は、表示部筐体の側面のうち少なくとも前記表示部筐体の角部４０を含む側面に線状に形成されたタッチ入力部１０７を備え、前記タッチ入力部１０７により検出された位置情報に基づいて処理を行うことを特徴とする。【選択図】図１
2010245843.tif 000002
【特許請求の範囲】
【請求項１】
画像を表示する表示画面を有する表示部を備えた画像表示装置であって、
前記表示部は、表示部筐体の側面のうち少なくとも前記表示部筐体の角部を含む側面に線状に形成されたタッチ入力部を備え、
前記タッチ入力部により検出された位置情報に基づいて処理を行うことを特徴とする画像表示装置。
【請求項２】
前記タッチ入力部が設けられた前記表示部筐体の角部の側面は、曲面を形成していることを特徴とする請求項１に記載の画像表示装置。
【請求項３】
前記タッチ入力部は、前記角部を形成する２つの側面に亘って連続して線状に設けられていることを特徴とする請求項１又は２に記載の画像表示装置。
【請求項４】
前記角部を形成する２つの側面に亘って連続して線状に設けられるタッチ入力部の長さは、前記２つの側面のうち短辺側の側面の長さと略同一又はそれ以下であることを特徴とする請求項３に記載の画像表示装置。
【請求項５】
前記２つの側面のうち一の側面のタッチ入力部により検出された位置情報と、他の側面のタッチ入力部により検出された位置情報とに基づいて処理を行うことを特徴とする請求項３又は４に記載の画像表示装置。
【請求項６】
前記タッチ入力部は、前記表示部筐体の角部を形成する２つの側面に亘って連続して線状に設けられた第１のタッチ入力部と、前記第１のタッチ入力部に対して略直交して交差するように前記角部に線状に設けられた第２のタッチ入力部とからなることを特徴とする請求項１に記載の画像表示装置。
【請求項７】
前記第１のタッチ入力部により検出された位置情報と、前記第２のタッチ入力部により検出された位置情報とに基づいて３次元の処理を行うことを特徴とする請求項６に記載の画像表示装置。
【請求項８】
前記タッチ入力部は、前記表示部筐体の角部を形成する２つの側面に亘って連続して線状に設けられた第１のタッチ入力部と、前記第１のタッチ入力部から離間して前記表示部筐体の側面に設けられた第２のタッチ入力部とからなることを特徴とする請求項１に記載の画像表示装置。
【請求項９】
画像を表示する表示画面を有する表示部を備えた画像表示装置であって、
前記表示部は、表示部筐体の側面のうち少なくとも２つの側面に線状に形成されたタッチ入力部を備え、
前記タッチ入力部により検出された位置情報に基づいて処理を行うことを特徴とする画像表示装置。
【請求項１０】
前記タッチ入力部は、前記表示部筐体の側面のうち前記表示画面を正面からみたときの水平方向の側面に設けられた第１のタッチ入力部と、垂直方向の側面に設けられた第２のタッチ入力部とからなることを特徴とする請求項９に記載の画像表示装置。
【請求項１１】
前記タッチ入力部は、前記表示画面を正面でみたときの前記表示部筐体の外周と略平行に線状に設けられていることを特徴とする請求項１又は９に記載の画像表示装置。
【請求項１２】
前記タッチ入力部は、接触又は接触した状態でのスライド量を検出することを特徴とする請求項１乃至１１の何れか１項に記載の画像表示装置。
【発明の詳細な説明】
【技術分野】
【０００１】
本発明は、静止画又は動画等の画像を表示するための表示部を備えた画像表示装置に関するものである。
【背景技術】
【０００２】
従来、デジタルカメラ等を含む画像表示装置は、装置の多機能化に伴い多くの操作部が必要となっている。更に近年、装置自体の小型化及び表示画面の大画面化の傾向にあり、多くの操作部を配置することが難しくなっている。そのため、表示部の表示画面上に配置されたタッチパネルを利用することにより、操作部を減少させたものが提案されている。しかし、指で表示画面に触れて操作をするため、画面を汚してしまったり、指が邪魔して画面が見えにくかったりする問題があった。
【０００３】
そのため、例えば、特許文献１に開示された技術のように、表示画面の周囲に線状且つ連続的に配置したタッチ入力部を設けることで、ユーザの指により画面を汚すことなく、そのタッチ位置及びタッチ状態に応じて装置の操作を行うものがある。特許文献１に開示されているデジタルカメラは、画像モニタと同一面の外周であって、画像モニタの直交する２辺と平行な位置にタッチパッドが設けられている。そして、ユーザは、タッチパッドの所定の箇所をタッチし、タッチパッド上を指で左右にスライドすることで、画面の明るさを変更したり、コマ送り等の各機能を操作したり、撮影時のズーム操作をしたりすることができる。
また、例えば、特許文献２に開示されたデジタルカメラは、表示部筐体の上面にタッチセンサを設けられている。そして、ユーザは、タッチセンサを介して、ズーム操作や再生制御の操作を行うことができる。
【先行技術文献】
【特許文献】
【０００４】
【特許文献１】特開２００２−３５４３１１号公報（第６頁、第１図）
【特許文献２】特開２００５−１９７９６５号公報（第１０頁、第２図）
【特許文献３】特開平１０−２３２９３４号公報
【特許文献４】特開２０００−４８１８４号公報
【発明の概要】
【発明が解決しようとする課題】
【０００５】
しかしながら、特許文献１の技術では、タッチパッドを表示画面と同一面に配置している。したがって、タッチパッドを配置するためのスペースが必要となり、装置を小型化するのが困難である。更に、ユーザがタッチパッドを操作するときに指で表示画面を覆ってしまうことも考えられるため、視認性が良くない。また、複数のタッチパッドそれぞれに対して機能が設けられていて、それらは個別の操作によって機能するものである。すなわち、複数のタッチパッドを同時に操作して機能させるものではないため、タッチパッドを複数設けたにも関らず、その機能を最大限に利用できていない。
また、特許文献２の技術では、操作方法が一方向の操作しかできないために、操作できる機能が限られてしまう。
更に、タッチパネル等は、従来の表示パネルや操作ボタン等に比べると高価であり、装置全体がコストアップしてしまう。
【０００６】
本発明は、上述したような問題点に鑑み、画像表示装置自体を小型化すると共に、画像表示装置の操作性を向上させることを目的とする。
【課題を解決するための手段】
【０００７】
本発明は、画像を表示する表示画面を有する表示部を備えた画像表示装置であって、前記表示部は、表示部筐体の側面のうち少なくとも前記表示部筐体の角部を含む側面に線状に形成されたタッチ入力部を備え、前記タッチ入力部により検出された位置情報に基づいて処理を行うことを特徴とする。
また、本発明は、画像を表示する表示画面を有する表示部を備えた画像表示装置であって、前記表示部は、表示部筐体の側面のうち少なくとも２つの側面に線状に形成されたタッチ入力部を備え、前記タッチ入力部により検出された位置情報に基づいて処理を行うことを特徴とする。
【発明の効果】
【０００８】
本発明によれば、画像表示装置自体を小型化すると共に、画像表示装置の操作性を向上させることができる。
【図面の簡単な説明】
【０００９】
【図１】画像表示装置の外観を示す斜視図である。
【図２】画像表示装置の表示部を示す断面図である。
【図３】静電容量式センサの断面を示す図である。
【図４】画像表示装置の概略の構成を示す図である。
【図５】動画撮影モードでの画像表示装置の動作処理を示すフローチャートである。
【図６】動画撮影モードでの表示画面の表示内容の一例を示す図である。
【図７】動画撮影モードでの表示画面の表示内容の一例を示す図である。
【図８】再生モードでの画像表示装置の動作処理を示すフローチャートである。
【図９】再生モードでの表示画面の表示内容の一例を示す図である。
【図１０】画像表示装置の把持状態を示す図である。
【図１１】第２の実施形態の表示部の外観を示す斜視図である。
【図１２】第２の実施形態の表示画面の表示内容の一例を示す図である。
【図１３】第３の実施形態の表示部の外観を示す斜視図である。
【図１４】第４の実施形態の画像表示装置の外観を示す斜視図である。
【図１５】動画撮影モードでの画像表示装置の動作処理を示すフローチャートである。
【図１６】動画撮影モードでの表示画面の表示内容の一例を示す図である。
【図１７】再生モードでの画像表示装置の動作処理を示すフローチャートである。
【図１８】再生モードでの表示画面の表示内容の一例を示す図である。
【図１９】画像表示装置の把持状態を示す図である。
【発明を実施するための形態】
【００１０】
以下、本発明に係る実施形態について、図面を参照して説明する。なお、以下の実施形態では、画像表示装置としてデジタルビデオカメラを例にして説明する。
（第１の実施形態）
図１は、第１の実施形態に係るビデオカメラの斜視図である。ビデオカメラ１０は、本体１０１、表示部１０２、モードスイッチ１０４、シャッターボタン１０５、レンズ１０６等を含んで構成されている。また、表示部１０２は、表示画面１０３、タッチ入力部１０７等を有している。
【００１１】
表示部１０２は、本体１０１に対して軸Ｌを中心にして回動可能である。図１では、表示部１０２は、略９０度開いた状態、すなわち表示画面１０３の面が矢印Ｄの撮影方向に対して略直交する状態で示されている。モードスイッチ１０４は、電源のＯＮ／ＯＦＦを行ったり、動画撮影モード／再生モード、静止画の撮影モード／再生モードの切り換えを行ったりすることができる。シャッターボタン１０５は、動画撮影モードの場合、押下する度に撮影開始／終了の動作をし、静止画撮影モードの場合、撮影の動作をする。
【００１２】
タッチ入力部１０７は、ユーザ（撮影者）の指の接触を検出する位置検出センサ等を含む入力部全体である。本実施形態のタッチ入力部１０７は、図１に示すように表示部１０２を開いた状態において、表示部１０２の角部４０を含み、この角部４０から、角部４０を形成する２つの側面に延設されている。なお、本実施形態の表示部１０２の角部４０は、角部を形成する２つの側面と連続した曲面に形成されている。
より具体的に説明すると、タッチ入力部１０７は、本体１０１側から離れた上下の角部のうち上部の角部４０であって、その角部４０からＸ方向（水平方向）の側面及びＹ方向（垂直方向）の側面に設けられている。すなわち、タッチ入力部１０７は、２つの側面に亘って連続して設けられている。また、タッチ入力部１０７は、表示画面１０３を正面からみたときに、表示部１０２の外周と略平行に設けられている。
【００１３】
角部４０から両側面に延びるタッチ入力部１０７の長さは、それぞれ略３０ｍｍ程度に設定されている。この長さは、ユーザが手全体を動かさずに、人差し指の第一関節で届く距離である。また、タッチ入力部１０７の長手方向の長さを合わせた全体の長さは、表示部１０２の短辺側の側面の長さと略同一である。
なお、本実施形態では、表示部１０２の表示画面１０３を正面から見て左上にタッチ入力部１０７を配置しているが、この場合に限られない。すなわち、タッチ入力部は、表示部１０２の角部４０を含む側面に設けていればどのような位置であってもよい。また、タッチ入力部１０７の角部４０から両側面に延びる長さは、上述した長さに限られない。また、タッチ入力部１０７の全体の長さは、表示部１０２の短辺側の側面の長さ以下であってもよい。
【００１４】
次に、タッチ入力部の構成について図２を参照して説明する。図２は、図１に示す表示部１０２を平面Ｆで切断し、矢印Ｃ方向からみた断面図である。
図２において、タッチ入力部１０７は、表示部１０２の外装部材（表示部筐体）１０２ａ、１０２ｂによって覆われている。外装部材１０２ａは、表示画面１０３側からタッチ入力部１０７を覆っている。また、外装部材１０２ｂは、表示部１０２の裏側からタッチ入力部１０７を覆っている。外装部材１０２ａは、ユーザが表示画面１０３を視認できるように開口部を有している。
【００１５】
タッチ入力部１０７は、位置検出センサ１１０を備えている。具体的には、位置検出センサ１１０は、後述する静電容量式タッチセンサを用いたフレキシブル回路基板である。位置検出センサ１１０は、外装部材１０２ａに両面テープ等の接着層により貼り付けられて、固定される。フレキシブル回路基板は、可撓性を有しているため、外装部材１０２ａの角部４０を含む曲面形状に貼り付けることは容易である。なお、本実施形態では、静電容量式タッチセンサを用いているが、この場合に限られず、位置を検出できるセンサであればどのようなものであってもよい。また、本実施形態では、可撓性を有するフレキシブル回路基板を用いているが、基板形状の位置検出センサであってもよい。
【００１６】
外装部材１０２ａの上面と位置検出センサ１１０とには、線状の穴が形成されている。この線状の穴に収まるようにして、透過部材１１１が配置されている。透過部材１１１は、断面が略Ｔ字型に形成されていて、ねじ１１６により外装部材１０２ａに固定されている。また、位置検出センサ１１０には、表示部１０２の内部側に発光素子１１２が位置検出センサ１１０の長手方向に沿って等間隔に実装されている。表示部１０２内には表示画面１０３を有する表示パネル１０８、表示パネル１０８に光を当てるバックライト１１５、表示部１０２を制御するパネル基板１０９及びフレーム１１３が配置されている。フレーム１１３は、表示パネル１０８、バックライト１１５及びパネル基板１０９を保持している。また、フレーム１１３は、外装部材１０２ａと同様、ユーザが表示画面１０３を視認できるように、表示パネル１０８の有効表示領域の部分に開口部を有している。
【００１７】
次に、位置検出センサの一例として、静電容量式タッチセンサについて、図３を参照して説明する。図３は、静電容量式タッチセンサの断面を模した図である。
静電容量式タッチセンサ３０は、電極間の静電容量の変化を検出するものであって、電極が基板上のパターンとして形成されている。本実施形態の静電容量式タッチセンサ３０の基板は、センサ電極３１と回路基板３２とが一体に形成されている。人体は水分が多く導電性があるため、図３に示すように筐体３３を介して、センサ電極３１に指を近づけると、指とセンサ電極３１の間の静電容量が増加する。どのセンサ電極３１の静電容量が増えたかを検出することで、どの位置に指が接触したかを判断することができる。
【００１８】
本実施形態の位置検出センサ１１０は、１次元（線状）の接触位置を連続的に検出するものである。また、位置検出センサ１１０は、接触位置だけでなく、接触した状態での移動量（スライド量）も検出することができる。なお、位置検出センサ１１０は、指が接触することのできる幅があれば十分であり、幅を取らないために、表示部１０２の側面という狭い領域にも配置することができ、コストダウンが可能となる。
【００１９】
次に、本実施形態に係るビデオカメラの構成について図４を参照して説明する。図４は、ビデオカメラの構成を示す図である。
ビデオカメラ１０は、被写体を結像させるズームレンズ１０６、光量を調節する絞り１１６、入力した光を電気信号に変換するＣＣＤ等からなる撮像素子１１７、レンズの位置を検出するレンズ位置検出部１１８、レンズを駆動するレンズ駆動部１１９を有する。
撮像素子１１７が撮像したアナログの撮像信号は、不図示のアンプにより増幅され、アナログデジタル変換（Ａ／Ｄ変換）を行うＡ／Ｄ変換部１２０によってデジタル画像データに変換される。
【００２０】
映像信号処理部１２１は、デジタル画像データと不図示のマイクからの音声信号に周知の映像信号処理を行う。また、映像信号処理部１２１は、撮像素子１１７の撮像タイミングを規定するタイミング信号を生成し、露出制御及びフォーカス制御等のカメラ撮像系の制御を、システム制御部１２８と連携して実行する。
メモリ制御部１２２は、記憶装置１２３を制御すると共に、映像信号処理部１２１から出力される映像信号に特殊効果（フェードイン／アウト、ワイプ、スクロール、モザイク、白黒及びセピア処理等）を行う。記憶装置１２３は、例えばＲＯＭ、ＲＡＭ、不揮発性メモリとしてのフラッシュメモリやＥＥＰＲＯＭ等である。ＲＯＭやＲＡＭには、後述するフローチャートを実現するためのプログラム及びデータ等が格納される。また、不揮発性メモリには、初期設定に使用される初期値等が格納される。また、ＲＡＭの一部は、システム制御部１２８の作業領域としても使用される。
【００２１】
ビデオ制御部１２４は、記録再生部１２５を制御したり、システム制御部１２８の制御下で撮像系からのデジタル映像信号にタイトルや画像情報を合成したりする機能を有する。
記録再生部１２５は、ビデオ制御部１２４からの映像信号を記録媒体１２６に記録したり、記録媒体１２６に記録される映像信号を再生したりする。
【００２２】
顔検出部１３０は、撮像素子１１７により撮影して得られた画像信号から、顔領域を検出する。なお、顔領域を検出する技術としては様々な方法があり、顔の位置及びサイズ情報を取得できればどのような方法であってもよく、特定の顔検出の方法に限られない。例えば、ニューラルネットワークに代表される学習を用いた方法や、目や鼻といった物理的形状に特徴のある部位を画像領域からテンプレートマッチングで抽出する方法がある。他にも、肌の色や目の形といった画像特徴量を検出し、統計的手法を用いて解析する方法がある。このような方法は、例えば、特許文献３や特許文献４等に開示されている。
【００２３】
測距枠設定部１３１は、顔検出部１３０により検出された顔に測距枠を設定する。ＡＦ評価値演算部１３２は、レンズ駆動部１１９を介してレンズ１０６を所定量ずつ移動しながら複数箇所の測距点においてそれぞれ撮像した画像信号を用いて、画像のコントラストに応じたＡＦ評価値を演算する。合焦位置決定部１３３は、ＡＦ評価値演算部１３２により演算されたＡＦ評価値に基づいて合焦位置を決定後、システム制御部１２８に決定した合焦位置を通知する。システム制御部１２８は、通知された位置に基づいて、レンズ駆動部１１９を駆動するよう制御する。合焦枠表示部１３４は、測距枠設定部１３１が選択した検出された顔領域までの距離を推定し、合焦距離から所定範囲内にある顔領域に合焦枠を表示する。
【００２４】
システム制御部１２８は、ＲＯＭに格納されたプログラムを実行することで、ビデオカメラ１０全体を制御する。操作部１２９は、タッチ入力部１０７、モードスイッチ１０４及びシャッターボタン１０５等の操作ボタンや操作スイッチである。例えば、タッチ入力部１０７の位置検出センサ１１０が指の接触を検出すると、システム制御部１２８は、タッチ入力部１０７内にある発光素子１１２を発光させる。
【００２５】
Ｄ／Ａ変換部１２７は、記録再生部１２５からビデオ制御部１２４を介して入力されたデジタル映像信号をアナログ信号に変換し、表示部１０２の表示画面１０３に印加する。なお、ビデオカメラ１０が動画撮影モードの場合、Ｄ／Ａ変換部１２７は、システム制御部１２８の制御の下、撮像系からの映像信号を表示画面１０３にスルー画として表示する。また、ビデオカメラ１０が再生モードの場合、Ｄ／Ａ変換部１２７は、システム制御部１２８の制御の下、記録再生部１２５からの再生映像信号を画像として表示画面１０３に表示する。また、Ｄ／Ａ変換部１２７は、システム制御部１２８の制御の下、ユーザによる操作部１２９を介した入力操作情報及び記憶装置１２３内の任意の画像情報、合焦枠表示部１３４による合焦枠等を表示画面１０３に表示する。
【００２６】
次に、撮影モードに動画撮影モードが設定されている場合のビデオカメラの動作処理について、図５、図６及び図７を参照して説明する。図５は、動画撮影モードにおける動作処理を示すフローチャートである。図６及び図７は、動画撮影モードにおける各ステップの指の動作と表示画面の表示内容を示す図である。なお、静止画モードは動画撮影モードと同様の動作であるため、その説明は省略する。
【００２７】
ここでは、ユーザがビデオカメラ１０の電源をオン状態にして、モードスイッチ１０４を介して、撮影モードを動画撮影モードに選択したときに、システム制御部１２８が処理を開始する。
まず、ステップＳ１０１では、システム制御部１２８は、表示画面１０３にスルー画を表示する。
次に、ステップＳ１０２では、システム制御部１２８は、ユーザの指がタッチ入力部１０７に接触した状態で移動（以下では、スライドという）したか、タッチ入力部１０７に２回続けて接触（以下では、ダブルクリックという）したかを判定する。
【００２８】
ここで、システム制御部１２８は、図６（ａ）に示すように、指がタッチ入力部１０７に接触した状態で矢印Ａ方向又はＢ方向への移動を検出したときに、スライドであると判定する。一方、システム制御部１２８は、図７（ａ）に示すように、指がタッチ入力部１０７に２回続けて接触を検出したときに、ダブルクリックであると判定する。なお、タッチ入力部１０７の位置検出センサがタッチ入力部１０７に対する指の接触等を検出し、システム制御部１２８が、検出した情報を取得することによって、タッチ入力部１０７に対する接触等を検出する。
システム制御部１２８は、スライドを検出するとステップＳ１０３に処理を進め、ダブルクリックを検出するとステップＳ１０４に処理を進める。
【００２９】
ステップＳ１０３では、システム制御部１２８は、タッチ入力部１０７を、ズーム操作を行うためのズーム操作部材として機能させる。すなわち、システム制御部１２８は、ユーザによるタッチ入力部１０７の操作に応じて、レンズ駆動部１１９によりレンズを駆動させる。
【００３０】
ここで、例えば、図６（ｂ）に示すように、ユーザがタッチ入力部１０７に対して指をＡ方向にスライドさせる。この場合、システム制御部１２８は、レンズ駆動部１１９によりスルー画が拡大するようにレンズ１０６を駆動させる。したがって、図６（ｂ）に示すように、システム制御部１２８は、Ｄ／Ａ変換部１２７により、表示画面１０３に対して拡大したスルー画を表示させる。
また、例えば、図６（ｃ）に示すように、ユーザがタッチ入力部１０７に対して指をＢ方向にスライドさせる。この場合、システム制御部１２８は、レンズ駆動部１１９によりスルー画が縮小するようにレンズを駆動させる。したがって、図６（ｃ）に示すように、システム制御部１２８は、Ｄ／Ａ変換部１２７により、表示画面１０３に対して縮小したスルー画を表示させる。なお、システム制御部１２８は、タッチ入力部１０７に対するスライド方向に加えてスライド量を検出し、スライド量に応じて、拡大又は縮小するように、レンズ駆動部１１９を制御する。
【００３１】
一方、ステップＳ１０４では、システム制御部１２８は、Ｄ／Ａ変換部１２７により、表示画面１０３に対して、メニュー画面を表示する。図７（ａ）に示すように、メニュー画面は、複数のメニュー項目から構成されている。また、メニュー画面が表示されたとき、複数のメニュー項目のうち任意のメニュー項目が、選択されていることが識別できる選択枠（識別表示）７０と共に、ハイライトされた状態で表示される。なお、選択されていることを識別する表示は、選択枠、ハイライト表示に限られず、選択されていないメニュー項目と識別できればどのような表示であってもよい。メニュー項目には、例えば、撮影シーンや画質効果の選択や、露出やフォーカスの設定等、各種設定項目が含まれる。
【００３２】
次に、ステップＳ１０５では、システム制御部１２８は、ユーザによるタッチ入力部１０７に対するスライドを検出したか否かを判定する。スライドを検出するまで待機し、検出した場合、ステップＳ１０６に処理を進める。
ステップＳ１０６では、システム制御部１２８は、スライド方向及びスライド量に応じて、選択枠を他のメニュー項目に移動する。
【００３３】
ここで、例えば、図７（ｂ）に示すように、ユーザがタッチ入力部１０７の角部４１からＢ方向にスライドさせる。この場合、システム制御部１２８は、タッチ入力部１０７に対するＢ方向へのスライド量を検知し、スライド量に応じて選択枠７０を下方向のメニュー項目に移動させる。
また、例えば、図７（ｃ）に示すように、ユーザがタッチ入力部１０７の角部４１からＡ方向にスライドさせる。この場合、システム制御部１２８は、タッチ入力部１０７に対するＡ方向へのスライド量を検知し、スライド量に応じて選択枠７０を左右方向のメニュー項目に移動させる。
【００３４】
ステップＳ１０７では、システム制御部１２８は、選択されたメニュー項目が、ＯＮ／ＯＦＦを設定するメニュー項目のように複数の決定項目の中から任意の項目を選択するメニュー項目であるか否かを判定する。選択できるメニュー項目の選択を待機し、選択できるメニュー項目の場合、ステップＳ１０８に処理を進める。
ステップＳ１０８では、システム制御部１２８は、ユーザによるタッチ入力部１０７に対する接触（以下、タッチという）を検出したか否かを判定する。タッチを検出するまで待機し、検出した場合、ステップＳ１０９に処理を進める。
【００３５】
ステップＳ１０９では、システム制御部１２８は、タッチ入力部１０７に対するタッチを検出する度に、選択されたメニュー項目に設定されている決定項目を切り替える。例えば、図７（ｄ）に示すように、ＯＮ／ＯＦＦを選択できるメニュー項目が選択されている場合に、システム制御部１２８は、タッチ入力部１０７の角部４１に対するタッチを検出すると、決定項目をＯＦＦからＯＮに切り替える。
【００３６】
次に、撮影モードに再生モードが設定されている場合のビデオカメラの動作処理について、図８及び図９を参照して説明する。図８は、再生モードにおける動作処理を示すフローチャートである。図９は、再生モードにおける各ステップの指の動作と表示画面の表示内容を示す図である。
【００３７】
ここでは、ユーザがビデオカメラ１０の電源をオン状態にして、モードスイッチ１０４を介して、撮影モードを再生モードに選択したときに、システム制御部１２８が処理を開始する。
まず、ステップＳ２０１では、システム制御部１２８は、撮影された画像ファイルに対応するサムネイルを表示画面１０３に表示する。撮影された画像ファイルが複数ある場合、システム制御部１２８は、最初の画像ファイルに対応するサムネイルを、選択されていることが識別できる選択枠（識別表示）と共に、ハイライトされた状態で表示する。
【００３８】
次に、ステップＳ２０２では、システム制御部１２８は、ユーザによるタッチ入力部１０７に対するスライドを検出したか否かを判定する。スライドを検出するまで待機し、検出した場合、ステップＳ２０３に処理を進める。
次に、ステップＳ２０３では、システム制御部１２８は、スライドに応じて、配置されたサムネイルに一つずつ選択枠を移動させると共に、選択枠に合わせてサムネイルを一つずつハイライト表示する。なお、サムネイルが多く配置されている場合、システム制御部１２８は、スライドの速度に応じて、選択枠の移動及びハイライト表示の切り換えの速度も速くする。
【００３９】
ここで、例えば、図９（ａ）に示すように、ユーザがタッチ入力部１０７に対して指をＢ方向にスライドさせる。この場合、システム制御部１２８は、選択枠７０を破線の位置から一つずつ矢印方向に移動させると共に、選択枠７０に合わせてサムネイルをハイライト表示する。なお、ユーザは、再生したい画像ファイルに選択枠７０が移動したときに、タッチ入力部１０７から指を離すことで、システム制御部１２８は、選択枠７０の移動を終了する。
【００４０】
次に、ステップＳ２０４では、システム制御部１２８は、サムネイルが選択されている状態で、ユーザによるタッチ入力部１０７に対するダブルクリックを検出したか否かを判定する。ダブルクリックを検出するまで待機し、検出した場合、ステップＳ２０５に処理を進める。
次に、ステップＳ２０５では、システム制御部１２８は、ビデオ制御部１２４及び記録再生部１２５により、選択されているサムネイルに対応する画像ファイルを再生させる。また、システム制御部１２８は、画像ファイルを表示画面１０３に再生すると共に、早送りアイコン及び巻き戻しアイコンを表示する。
【００４１】
次に、ステップＳ２０６では、システム制御部１２８は、ユーザによるタッチ入力部１０７に対する操作を検出する。より具体的には、システム制御部１２８は、タッチ入力部１０７に対するスライド、タッチ又はダブルクリックの何れかの操作が行われたかを判定する。ダブルクリックを検出した場合、ステップＳ２０７に処理を進め、タッチを検出した場合、ステップＳ２０８に処理を進め、スライドを検出した場合、ステップＳ２０９に処理を進める。
【００４２】
ステップＳ２０７では、システム制御部１２８は、タッチ入力部１０７に対するダブルクリックを検出すると、画像ファイルの再生を停止して、再びサムネイルを表示画面１０３に表示する。
ステップＳ２０８では、システム制御部１２８は、タッチ入力部１０７に対するタッチを検出すると、画像ファイルの再生を一時停止する。また、画像ファイルの再生が一時停止されているときに、タッチを検出すると、再び画像ファイルを再生する。
ステップＳ２０９では、システム制御部１２８は、タッチ入力部１０７に対するスライドを検出すると、スライド方向に応じて、画像ファイルを早送りしたり、巻き戻したりする。
【００４３】
ここで、例えば、図９（ｂ）に示すように、ユーザがタッチ入力部１０７に対して指を角部４１からＡ方向にスライドさせる。この場合、システム制御部１２８は、早送りアイコン７２をハイライト表示すると共に、再生している画像ファイルを早送りする。一方、ユーザがタッチ入力部１０７に対して指を角部４１からＢ方向にスライドさせる。この場合、システム制御部１２８は、巻き戻しアイコン７３をハイライト表示すると共に、再生している画像ファイルを巻き戻しする。
【００４４】
このように表示部１０２の角部４０にタッチ入力部１０７を配置することで、ユーザは回転ダイアルを操作するような感覚で、タッチ入力部１０７上を指でスライドさせて操作することができるので、操作性が向上する。
また、例えば、図１０に示すようにビデオカメラ１０の本体１０１を右手で把持し、表示部１０２を左手で支えた状態で、人差し指を動かしてタッチ入力部１０７をタッチしたり、スライドしたりすればよいので、左手の移動が極力少なくなる。また、ビデオカメラ１０を支持しながら操作するので、手ぶれすることなく、表示部１０２の安定性も確保されるため、操作性が向上する。また、表示画面１０３に直接触れることがないので、表示画面１０３が汚れることがなく、操作中に指で画面が見えづらくなることもない。操作中は、表示画面１０３を見ながら、タッチ入力部１０７をスライドさせて操作するため、直感的な操作を行うことができる。
【００４５】
このように、本実施形態によれば、位置検出センサを含むタッチ入力部を、表示部筐体の角部を含む側面に配置した。したがって、表示画面と同一面に操作部を配置する必要がなくなり、画像表示装置自体の小型化とコストの低減を可能にすると共に、表示画面を汚したり指で画面を邪魔したりすることがない。また、タッチ入力部を表示部筐体の角部を含む側面に配置したことにより、画像表示装置本体を片手で持ちながら、もう片方の手で表示部筐体を支えながら人差し指だけを用いて操作することができる。したがって、手ぶれを防止することができ、画像表示装置全体の安定性が確保でき、良好な操作性を得ることができる。
【００４６】
また、角部を回転ダイアルのように操作して、その位置情報により表示画面上の任意の位置を指定することができるため、画面上の選択位置を確認しながら指を動かして感覚的な操作をすることが可能となる。また、タッチ入力部は、表示部筐体と表示画面の間の狭い隙間を利用して配置したので、画像表示装置の小型化が可能である。また、タッチ入力部は、指を検出することができるだけの幅があればよく、表示画面の全面にタッチパネルを配置する場合に比べ、コストダウンできる。
【００４７】
（第２の実施形態）
次に、第２の実施形態について説明する。
図１１は、第２の実施形態に係るビデオカメラの表示部を上面側からみた斜視図である。なお、ビデオカメラの本体は、第１の実施形態と同じ構成であり、その説明は省略する。また、第１の実施形態と同一の構成については、同一の符号を付して、その説明は省略する。
【００４８】
本実施形態のタッチ入力部２００は、図１１に示すように、表示部１０２の外周に略平行に設けられた第１のタッチ入力部２０１と、第１のタッチ入力部２０１に略直交するように交差して設けられた第２のタッチ入力部２０２とから構成されている。ここで、第１のタッチ入力部２０１は、第１の実施形態のタッチ入力部１０７と略同一位置に設けられている。また、第２のタッチ入力部２０２は、表示部１０２の角部４０であって、表示画面１０３の面に対して略直交する方向に沿って延設されている。
【００４９】
また、第１のタッチ入力部２０１及び第２のタッチ入力部２０２は、外装部材１０２ａに両面テープ等の接着層により貼り付けて、固定される位置検出センサをそれぞれ備えている。したがって、ユーザが、第１のタッチ入力部２０１の部位２０１ａ、部位２０１ｂ、第２のタッチ入力部２０２の部位２０２ａ及び部位２０２ｂの何れに接触したとしても、その位置を検出することができる。位置検出センサは、フレキシブル回路基板であり、可撓性を有しているため、曲面形状に貼り付けることは容易である。なお、本実施形態では、可撓性を有するフレキシブル回路基板を用いているが、基板形状の位置検出センサであってもよい。透過部材２０３は、略十字形状に形成されていて、ねじにより外装部材１０２ａに固定されている。
【００５０】
次に、本実施形態のタッチ入力部を好適に用いることができる操作方法について、図１２を参照して説明する。
ここでは、ユーザがモードスイッチ１０４を介して、撮影モードを再生モードに選択し、３次元の画像ファイルを読み出す操作を行うことにより、システム制御部１２８は、表示画面１０３に３次元の画像ファイルを表示する。図１２（ａ）では、３次元の画像ファイルとして直方体と円柱体とが結合した図形８０が表示されているとする。
【００５１】
ユーザが第１のタッチ入力部２０１と第２のタッチ入力部２０２とに対して指を接触した状態で第１のタッチ入力部２０１と第２のタッチ入力部２０２との交差部を中心に回転させるようにスライドさせる。この場合、システム制御部１２８は、部位２０１ａ、部位２０２ｂ、部位２０１ｂ及び部位２０２ａに位置している位置検出センサにより、順に指の接触を検出する。システム制御部１２８は、ユーザによるタッチ入力部２００に対するタッチの検出に応じて、図１２（ｂ）及び図１２（ｃ）に示すように、図形８０を右回り又は左回りに連続して回転させて表示する。
【００５２】
例えば、ユーザがタッチ入力部２００の交差部を中心にして指を右回りにスライドさせると、システム制御部１２８は、同様に図形８０を右回りに連続して回転させて表示する。一方、ユーザがタッチ入力部２００の交差部を中心にして指を左回りにスライドさせると、システム制御部１２８は、同様に図形８０を左回りに連続して回転させて表示する。また、ユーザが第２のタッチ入力部２０２に対して指をスライドさせると、システム制御部１２８は、スライド方向及びスライド量に応じて、図形８０を表示画面１０３の面に対して直交する方向（前後方向）に移動させて表示する。
このように表示部１０２の角部４０を含む両側面に加えて、表示部１０２の角部４０であって、表示画面１０３の面に対して略直交する方向に沿って、第２のタッチ入力部２０２を配置したので、更に操作性を向上させることができる。
【００５３】
（第３の実施形態）
次に、第３の実施形態について説明する。
図１３は、第３の実施形態に係るビデオカメラの表示部を底面側からみた斜視図である。なお、ビデオカメラの本体は、第１の実施形態と同じ構成であり、その説明は省略する。また、第１の実施形態と同一の構成については、同一の符号を付して、その説明は省略する。
【００５４】
本実施形態のタッチ入力部３００は、図１３（ａ）に示すように、表示部１０２の外周に略平行に設けられた第１のタッチ入力部３０１と、表示部１０２の底面（下側面）に設けられた第２のタッチ入力部３０２とから構成されている。本実施形態の第１のタッチ入力部３０１と第２のタッチ入力部３０２とは離間して設けられている。ここで、第１のタッチ入力部３０１は、第１の実施形態のタッチ入力部１０７と略同一位置に設けられている。また、第２のタッチ入力部３０２は、表示部１０２の底面であって、表示部１０２の外周に略平行に設けられている。
【００５５】
次に、本実施形態のタッチ入力部を好適に用いることができる操作方法について、図１３（ｂ）を参照して説明する。
ここでは、ユーザがモードスイッチ１０４を介して、撮影モードを再生モードに選択したことにより、システム制御部１２８は、表示画面１０３に画像ファイルのサムネイルを表示している。ここで、ユーザが再生したい画像ファイルのサムネイルを選択する場合、第２のタッチ入力部３０２に対して、所望するサムネイルの左右位置に対応する位置をタッチする。システム制御部１２８は、第２のタッチ入力部３０２に対するタッチの位置情報に基づいて、図１３（ｂ）に示すように、選択枠７０を表示する。なお、システム制御部１２８は、第１のタッチ入力部３０２に対するスライドの検出により、選択枠７０を上下方向に移動する。したがって、選択したいサムネイルまでスライドし続ける必要がないので、指の疲れが軽減し、操作性を向上させることができる。
なお、この操作方法は、サムネイルを選択する場合に限られず、複数のメニュー項目から所望するメニュー項目を選択する場合でも同様に操作することができる。また、第２のタッチ入力部３０２を設ける位置は、底面に限られず、それ以外の側面であってもよい。
【００５６】
（第４の実施形態）
次に、第４の実施形態について説明する。本実施形態では、特に画像の中から特定の人物や物を識別する被写体認識機能を備えている。
図１４は、第４の実施形態に係るビデオカメラの斜視図である。ビデオカメラ２０は、本体１０１、表示部１０２、モードスイッチ１０４、シャッターボタン１０５、レンズ１０６等を含んで構成されている。また、表示部１０２は、表示画面１０３、タッチ入力部４００等を有している。なお、第１の実施形態と同様な構成は、同一符号を付してその説明を省略する。
【００５７】
タッチ入力部４００は、ユーザの指の接触を検出する位置検出センサ等を含む入力部全体である。本実施形態のタッチ入力部４００は、第１のタッチ入力部４０１と第２のタッチ入力部４０２とから構成されている。第１のタッチ入力部４０１は、表示部１０２の上面（上側面）に表示画面１０３のＸ方向（水平方向）に沿って略平行に線状で設けられている。第１のタッチ入力部４０１は、表示画面１０３におけるＸ方向（長辺側）の長さと略同一である。
また、第２のタッチ入力部４０２は、第１のタッチ入力部４０１から離間し、本体１０１側から離れた表示部１０２の側面に表示画面１０３のＹ方向（垂直方向）に沿って略平行に線状で設けられている。第２のタッチ入力部４０２は、表示画面１０３におけるＹ方向（短辺側）の長さと略同一である。なお、タッチ入力部４００の構成は、第１の実施形態と同様であり、その説明を省略する。
【００５８】
次に、撮影モードに動画撮影モードが設定されている場合のビデオカメラの動作処理について、図１５及び図１６を参照して説明する。図１５は、動画撮影モードにおける動作処理を示すフローチャートである。図１６は、動画撮影モードにおける各ステップの指の動作と表示画面の表示内容を示す図である。なお、静止画モードは動画撮影モードと同様の動作であるため、その説明は省略する。
【００５９】
ここでは、ユーザがビデオカメラ２０の電源をオン状態にして、モードスイッチ１０４を介して、撮影モードを動画撮影モードに選択したときに、システム制御部１２８が処理を開始する。
まず、ステップＳ３０１では、システム制御部１２８は、表示画面１０３にスルー画を表示する。
次に、ステップＳ３０２では、システム制御部１２８は、顔検出部１３０により顔領域を検出させると共に、合焦枠表示部１３４に検出された顔領域に合焦枠を表示させる。ここで、システム制御部１２８は、顔領域が複数あると判定した場合、合焦枠も複数表示する。なお、システム制御部１２８は、優先度が高いと判断した顔領域については、合焦枠を太枠で表示する。優先順位を決定する方法としては、例えば子供や女性を優先する方法や、顔が一番大きく撮影されている人物を優先する方法が用いられる。
【００６０】
次に、ステップＳ３０３では、システム制御部１２８は、ユーザの指がタッチ入力部４００に接触（以下では、タッチという）したか否かを判定する。より具体的には、システム制御部１２８は、ユーザの指が第１のタッチ入力部４０１と第２のタッチ入力部４０２との両方に対してタッチしたか否かを判定する。システム制御部１２８は、タッチを検出するまで待機し、検出した場合、ステップＳ３０４に処理を進める。
【００６１】
ステップＳ３０４では、システム制御部１２８は、第１のタッチ入力部４０１と第２のタッチ入力部４０２とから、タッチされた接触位置（位置情報）を検出する。なお、タッチ入力部４００の位置検出センサがタッチ入力部４００に対するタッチの接触位置を検出し、システム制御部１２８が、検出した接触位置を取得することによって、タッチ入力部４００に対する接触位置を検出する。この後、システム制御部１２８は、検出した接触位置に対応する人物の顔領域の合焦枠を太枠で表示する。
ここで、例えば、ユーザが図１６（ａ）に示す表示画面１０３の右下に表示されている人物１６０を優先して合焦させたい場合、第１のタッチ入力部４０１の右側をタッチし、第２のタッチ入力部４０２の下側をタッチする。システム制御部１２８は、タッチ入力部４００に対するタッチの接触位置に基づいて、表示画面１０３上の右下の人物１６０の顔領域に太枠１７０を移動させる。
また、例えば、ユーザが図１６（ｂ）に示す表示画面の１０３の右上に表示されている人物１６１を優先して合焦させたい場合、第１のタッチ入力部４０１の右側をタッチし、第２のタッチ入力部４０２の上側をタッチする。システム制御部１２８は、タッチ入力部４００に対するタッチの接触位置に基づいて、表示画面１０３上の右上の人物１６１の顔領域に太枠１７０を移動させる。
【００６２】
このように、水平方向及び垂直方向に設けられたタッチ入力部４０１、４０２に対するタッチの接触位置をそれぞれ検出することで表示画面１０３上の位置を特定し、対応する位置の人物の顔領域に太枠を表示することができる。これらの操作は、表示画面１０３を見ながら指の位置を決定してタッチすることができるため、従来のようなタッチパネル式の表示画面で操作するよりも確実に所望の操作を行うことができる。
【００６３】
次に、ステップＳ３０５では、システム制御部１２８は、ユーザの指が第１のタッチ入力部４０１及び第２のタッチ入力部４０２に接触した状態で移動（以下では、スライドという）したか否かを判定する。
【００６４】
ここで、システム制御部１２８は、図１６（ｃ）に示すように、指が第１のタッチ入力部４０１、第２のタッチ入力部４０２に接触した状態で矢印Ａ方向又はＢ方向への移動を検出したときに、スライドであると判定する。システム制御部１２８は、スライドを検出するとステップＳ３０６に処理を進め、スライドを検出しない場合、ステップＳ３０７に処理を進める。
【００６５】
ステップＳ３０６では、システム制御部１２８は、タッチ入力部４００を、ズーム操作を行うためのズーム操作部材として機能させる。すなわち、システム制御部１２８は、ユーザによるタッチ入力部４００の操作に応じて、レンズ駆動部１１９によりレンズを駆動させる。
【００６６】
ここで、図１６（ｃ）に示すように、ユーザが第１のタッチ入力部４０１に人差し指を接触させ、第２のタッチ入力部４０２に親指を接触させているものとする。例えば、ユーザが親指と人差し指とを離れる方向（図１６（ｃ）に示すＡ方向）にスライドすると、システム制御部１２８は、テレ方向にズーム機能が働かせる。一方、ユーザが親指と人差し指とを近づける方向（図１６（ｃ）に示すＢ方向）にスライドすると、システム制御部１２８は、ワイド方向にズーム機能を働かせる。
【００６７】
次に、ステップＳ３０７では、システム制御部１２８は、ユーザによるシャッターボタン１０５の押下を検出したか否かを判定する。シャッターボタン１０５の押下を検出すると、ステップＳ３０８に処理を進める。一方、シャッターボタン１０５の押下を検出しない場合、ステップＳ３０１に処理を戻す。
ステップＳ３０８では、システム制御部１２８は、撮影を開始する。
【００６８】
次に、撮影モードに再生モードが設定されている場合のビデオカメラの動作処理について、図１７及び図１８を参照して説明する。図１７は、再生モードにおける動作処理を示すフローチャートである。図１８は、再生モードにおける各ステップの指の動作と表示画面の表示内容を示す図である。
【００６９】
ここでは、ユーザがビデオカメラ２０の電源をオン状態にして、モードスイッチ１０４を介して、撮影モードを再生モードに選択したときに、システム制御部１２８が処理を開始する。
まず、ステップＳ４０１では、システム制御部１２８は、撮影された画像ファイルに対応するサムネイルを表示画面１０３に表示する。ここで、図１８（ａ）に示すように、撮影された画像ファイルが複数ある場合、システム制御部１２８は、一つ目の画像ファイル１８０が選択されていることを識別できるように選択枠１９０を表示する。
【００７０】
次に、ステップＳ４０２では、システム制御部１２８は、ユーザによる第１のタッチ入力部４０１及び第２のタッチ入力部４０２に対するタッチを検出したか否かを判定する。タッチを検出するまで待機し、検出した場合、ステップＳ４０３に処理を進める。
次に、ステップＳ４０３では、システム制御部１２８は、第１のタッチ入力部４０１と第２のタッチ入力部４０２とから、タッチされた接触位置を検出し、検出した接触位置に対応するサムネイルに選択枠を移動させる。
ここで、例えば、ユーザが図１８（ｂ）に示す表示画面１０３の右下に表示されているサムネイル１８１を選択したい場合、第１のタッチ入力部４０１の右側をタッチし、第２のタッチ入力部４０２の下側をタッチする。システム制御部１２８は、タッチ入力部４００に対するタッチの接触位置に基づいて、表示画面１０３上の右下のサムネイル１８１に選択枠１９０を移動させる。なお、サムネイルが多数あり複数のページに跨っている場合、ユーザが第１のタッチ入力部４０１を指でスライドさせることで、システム制御部１２８は、サムネイルを次のページに切り替えて表示する。
【００７１】
次に、ステップＳ４０４では、システム制御部１２８は、サムネイルが選択されている状態で、ユーザによるタッチ入力部４００に対する２回連続したタッチ（以下、ダブルクリックという）を検出したか否かを判定する。ダブルクリックを検出するまで待機し、検出した場合、ステップＳ４０５に処理を進める。
ステップＳ４０５では、システム制御部１２８は、選択された画像ファイル、すなわち選択枠が位置するサムネイルに対応した画像ファイルを再生する。
【００７２】
次に、ステップＳ４０６では、画像ファイルの再生中に、システム制御部１２８は、ユーザの指が第１のタッチ入力部４０１及び第２のタッチ入力部４０２に対してスライドしたか否かを判定する。スライドの検出を待機し、スライドを検出した場合、ステップＳ４０７に処理を進める。
【００７３】
ステップＳ４０７では、システム制御部１２８は、タッチ入力部４００を、ズーム操作を行うためのズーム操作部材として機能させる。具体的には、システム制御部１２８は、スライド方向に応じて、再生している画像を拡大させたり、縮小させたりする。
ここで、図１８（ｃ）に示すように、ユーザが親指と人差し指とを離れる方向（図１８（ｃ）に示すＡ方向）にスライドすると、システム制御部１２８は、テレ方向にズーム機能が働かせる。一方、ユーザが親指と人差し指とを近づける方向（図１８（ｃ）に示すＢ方向）にスライドすると、システム制御部１２８は、ワイド方向にズーム機能を働かせる。
【００７４】
ステップＳ４０８では、再生している画像を拡大している状態で、システム制御部１２８が、ユーザの指が第１のタッチ入力部４０１又は第２のタッチ入力部４０２に対してスライドしたか否かを判定する。スライドを検出するまで待機し、スライドを検出した場合、ステップＳ４０９に処理を進める。
ステップＳ４０９では、システム制御部１２８は、タッチ入力部４００のスライド方向とスライド量に応じて、拡大画像の表示領域を変更する。
ここで、例えば、図１８（ｃ）に示すように、ユーザが第１のタッチ入力部４０１及び第２のタッチ入力部４０２をそれぞれＡ方向にスライドさせると、システム制御部１２８は、表示画像全体の左上の画像を表示するように、表示領域を変更する。
【００７５】
また、例えば、図１９に示すようにビデオカメラ２０の本体１０１を右手で把持し、表示部１０２を左手で支えた状態で、人差し指と親指とを動かしてタッチ入力部４００をタッチしたり、スライドしたりすればよいので、左手の移動が極力少なくなる。また、ビデオカメラ２０を支持しながら操作するので、手ぶれすることなく、表示部１０２の安定性も確保されるため、操作性が向上する。また、表示画面１０３に直接触れることがないので、表示画面１０３が汚れることがなく、操作中に指で画面が見えづらくなることもない。操作中は、表示画面１０３を見ながら、タッチ入力部４００をスライドさせて操作するため、直感的な操作を行うことができる。
【００７６】
このように、本実施形態によれば、指等の接触を検知する線状に形成された位置検出センサを含むタッチ入力部を、少なくとも表示部筐体の２つの側面に配置した。したがって、表示画面と同一面に操作部を配置する必要がなくなり、画像表示装置自体の小型化とコストの低減を可能にすると共に、表示画面を汚したり指で画面を邪魔したりすることがない。また、タッチ入力部を表示部筐体の側面に配置したことにより、画像表示装置本体を片手で持ちながら、もう片方の手で表示部筐体を支えながら親指と人差し指だけを用いて操作することができる。したがって、手ぶれを防止することができ、画像表示装置全体の安定性が確保でき、良好な操作性を得ることができる。
【００７７】
また、複数のタッチ入力部に同時に接触して、その検出した複数の位置情報を用いて表示画面上の任意の位置を指定することができるため、画面上の位置を確認しながら指を動かして感覚的な操作をすることが可能となる。また、タッチ入力部は、表示部筐体と表示画面の間の狭い隙間を利用して配置したので、画像表示装置の小型化が可能である。また、タッチ入力部は、指を検出することができるだけの幅があればよく、表示画面の全面にタッチセンサを配置する場合に比べ、コストダウンできる。
【００７８】
なお、第１〜第４の実施形態では、画像表示装置として表示部を備えたビデオカメラを取り上げて説明したが、この場合に限られない。すなわち、画像を表示する表示部を備えた撮像装置全般に適用することができる。
また、第１〜第４の実施形態では、位置検出センサ１枚ずつに各機能が与えられているが、これらの機能はどちらのセンサに与えられてもよく、またこれらの機能に限られるものではない。
【００７９】
なお、第１、第４の実施形態では、ズームレンズの光学ズーム倍率変更によって、画像の拡大及び縮小を行う場合について説明したが、この場合に限られない。すなわち、例えば、画像の拡大及び縮小は、撮像素子によって撮像された画像を電子的に拡大する電子ズーム機能により行う場合であってもよい。
【符号の説明】
【００８０】
１０：ビデオカメラ  ２０：ビデオカメラ  １０２：表示部  １０３：表示画面
１０７：タッチ入力部  １１０：位置検出センサ
１０２ａ、１０２ｂ：外装部材（表示部筐体）  １２８：システム制御部
２００：タッチ入力部  ２０１：第１のタッチ入力部  ２０２：第２のタッチ入力部
３００：タッチ入力部  ３０１：第１のタッチ入力部  ３０２：第２のタッチ入力部
４００：タッチ入力部  ４０１：第１のタッチ入力部  ４０２：第２のタッチ入力部
【図１】
2010245843.tif 000003
【図２】
2010245843.tif 000004
【図３】
2010245843.tif 000005
【図４】
2010245843.tif 000006
【図５】
2010245843.tif 000007
【図６】
2010245843.tif 000008
【図７】
2010245843.tif 000009
【図８】
2010245843.tif 000010
【図９】
2010245843.tif 000011
【図１０】
2010245843.tif 000012
【図１１】
2010245843.tif 000013
【図１２】
2010245843.tif 000014
【図１３】
2010245843.tif 000015
【図１４】
2010245843.tif 000016
【図１５】
2010245843.tif 000017
【図１６】
2010245843.tif 000018
【図１７】
2010245843.tif 000019
【図１８】
2010245843.tif 000020
【図１９】
2010245843.tif 000021